(57)【要約】      （修正有）【課題】ペットの姿勢を好適に保持できるだけでなく、ペットの体格や姿勢に合わせて容易にサイズ調整を行うことのできるペット用保持具を提供する。【解決手段】ペット用保持具１は、第１保持体１０と、第１保持体に対向して配置される第２保持体２０と、を備え、第１保持体１０には第１面ファスナー１５が設けられており、第２保持体２０には第１保持体１０に向かって差し出されている連結体３０が設けられており、連結体３０の先端部には、第１面ファスナー１５に対して脱離自在に接合可能な第２面ファスナーが設けられており、第１面ファスナー１５と第２面ファスナーとが接合した状態では、第１保持体１０と第２保持体２０との間に置かれたペットの身体の少なくとも一部が第１保持体１０と第２保持体２０とによって挟持される。【選択図】図１
2020089289.tif 000002
【特許請求の範囲】
【請求項１】
第１保持体と、
前記第１保持体とは別体で、前記第１保持体に対向して配置される第２保持体と、
を備え、前記第１保持体と前記第２保持体との間に置かれたペットの身体の少なくとも一部が前記第１保持体と前記第２保持体とによって挟持されるペット用保持具であって、
前記第１保持体における所定部位には被接合部が設けられており、
前記第２保持体には、前記第１保持体に向かって差し出されている連結体が設けられており、前記連結体の先端部には、前記被接合部に対して脱離自在に接合可能な接合部が設けられており、
前記連結体における前記接合部よりも基端側の上面に前記第１保持体が配置され、かつ前記被接合部と前記接合部とが接合した状態では、前記第１保持体と前記第２保持体との間に置かれたペットの身体の少なくとも一部が前記第１保持体と前記第２保持体とによって挟持される状態となり、
前記被接合部と前記接合部とが接合した状態が解除されると、前記第１保持体は、前記連結体上において少なくとも当該連結体の差し出し方向に沿って滑動自在となる
ことを特徴とするペット用保持具。
【請求項２】
前記第１保持体の底面には、前記連結体が挿通可能な挿通孔部が設けられている
請求項１に記載のペット用保持具。
【請求項３】
前記連結体が前記挿通孔部に挿通された状態で、前記連結体が前記挿通孔部に適嵌している
請求項２に記載のペット用保持具。
【請求項４】
前記挿通孔部における前記第２保持体側の孔縁が、前記第１保持体の底部におけるペット側の端縁に位置している
請求項２又は請求項３に記載のペット用保持具。
【請求項５】
前記被接合部は、前記第１保持体における少なくとも底面以外の位置に設けられており、前記第１保持体において前記連結体と接する面と、前記連結体において前記第１保持体と接する面とが、滑面で構成されている
請求項１乃至請求項４のいずれか１項に記載のペット用保持具。
【請求項６】
前記被接合部は、前記第１保持体の側周面において前記第２保持体に向く側面とは反対側の側面に設けられている
請求項１乃至請求項５のいずれか１項に記載のペット用保持具。
【請求項７】
前記被接合部と前記接合部とが、面ファスナーで構成されている
請求項１乃至請求項６のいずれか１項に記載のペット用保持具。
【発明の詳細な説明】
【技術分野】
【０００１】
本発明は、ペットの姿勢を安定して保持することのできるペット用保持具に関する。
【背景技術】
【０００２】
例えば特許文献１には、体全体を安定した状態で保持して犬や猫などのペットをリラックスさせることができ、局所的な圧迫感をなくし、伏臥状態のペットが不用意に保持台からズレ落ちることを防止することのできるペット用姿勢保持台が開示されている。
【０００３】
また、例えば図６に示したように、中央に凹溝１０１が形成され、当該凹溝１０１に犬や猫などのペットの身体を保持させた状態でＸ線写真撮影やＣＴ検査を行うことのできるペット用保持具１００もすでに知られている。
【先行技術文献】
【特許文献】
【０００４】
【特許文献１】特開２０１５−２２１０１７号公報
【発明の概要】
【発明が解決しようとする課題】
【０００５】
しかしながら、例えば上述のペット用保持具１００のような構造であると、ペットの体格や姿勢によっては上手く凹溝１０１に身体が収まらず、ペットを適切に保持することが困難な場合があった。このため、実際にはペットの体格や保持したい姿勢に合わせて複数種類のペット用保持具を予め準備しておく必要があった。
【０００６】
そこで本発明は、ペットを好適に保持できるだけでなく、ペットの体格や姿勢に合わせて容易にサイズ調整を行うことのできるペット用保持具を提供することを目的とする。
【課題を解決するための手段】
【０００７】
本発明は、第１保持体と、前記第１保持体とは別体で、前記第１保持体に対向して配置される第２保持体と、を備え、前記第１保持体と前記第２保持体との間に置かれたペットの身体の少なくとも一部が前記第１保持体と前記第２保持体とによって挟持されるペット用保持具であって、前記第１保持体における所定部位には被接合部が設けられており、前記第２保持体には、前記第１保持体に向かって差し出されている連結体が設けられており、前記連結体の先端部には、前記被接合部に対して脱離自在に接合可能な接合部が設けられており、前記連結体における前記接合部よりも基端側の上面に前記第１保持体が配置され、かつ前記被接合部と前記接合部とが接合した状態では、前記第１保持体と前記第２保持体との間に置かれたペットの身体の少なくとも一部が前記第１保持体と前記第２保持体とによって挟持される状態となり、前記被接合部と前記接合部とが接合した状態が解除されると、前記第１保持体は、前記連結体上において少なくとも当該連結体の差し出し方向に沿って滑動自在となることを特徴とするペット用保持具である。
【０００８】
かかる構成にあっては、前記第１保持体と前記第２保持体との間であって前記連結体上にペットを配することで当該ペットを保持した状態が得られる。ここで、ペットの大きさや姿勢に合わせて、前記第１保持体を滑動させながら前記第１保持体と前記第２保持体との離間距離を調節することができる。しかも、前記第１保持体と前記第２保持体との離間距離を調節する際にペットを前記連結体上に載せたまま前記第１保持体を可動させることができるため、ペットを起き上がらせるなどの動作が必要なくなり、ペットにかかる負担を飛躍的に低減することができる。
【０００９】
また、前記第１保持体の底面には、前記連結体が挿通可能な挿通孔部が設けられている構成が提案される。
【００１０】
かかる構成とすることにより、前記第１保持体と前記第２保持体との離間距離を調節する際に、前記被接合部と前記接合部とが脱離している状態であっても前記第１保持体と前記第２保持体とを互いに連結しておくことができる。
【００１１】
さらに、前記連結体が前記挿通孔部に挿通された状態で、前記連結体が前記挿通孔部に適嵌している構成が提案される。
【００１２】
かかる構成とすることにより、前記第１保持体が、滑動時に前記連結体に対して意図しない方向（例えば、滑動させる方向に対して交わる方向）に位置ずれしてしまうことを防止することができる。
【００１３】
また、前記挿通孔部における前記第２保持体側の孔縁が、前記第１保持体の底部におけるペット側の端縁に位置している構成が提案される。
【００１４】
かかる構成とすることにより、挟持されたペットの体重に押されて前記第１保持体が外側に傾倒してしまうことを抑制することができる。
【００１５】
そして、前記被接合部は、前記第１保持体における少なくとも底面以外の位置に設けられており、前記第１保持体において前記連結体と接する面と、前記連結体において前記第１保持体と接する面とが、滑面で構成されていることが好ましい。
【００１６】
かかる構成とすることにより、前記第１保持体を前記連結体上で滑動させることができる構成を具体的に提供することが可能となる。ここで、滑面とは、前記第１保持体が前記連結体上において少なくとも当該連結体の差し出し方向に沿って滑動自在となる状態を実現できる面であり、例えば互いに脱離自在に接合する前記被接合部や接合部からなる面は本発明にかかる滑面から除外される。
【００１７】
また、前記被接合部は、前記第１保持体の側周面において前記第２保持体に向く側面とは反対側の側面に設けられている構成が提案される。
【００１８】
かかる構成とすることにより、前記第１保持体を、前記連結体上に配置した状態で適切に固定させることができる。
【００１９】
さらに、前記被接合部と前記接合部とが、面ファスナーで構成されていることが好ましい。
【００２０】
かかる構成とすることにより、前記第１保持体と前記第２保持体とを簡単かつ強固に固定することができる。
【発明の効果】
【００２１】
本発明のペット用保持具にあっては、ペットに負担をかけることなく、ペットの大きさや姿勢に合わせて前記第１保持体と前記第２保持体との離間距離を調節することができる優れた効果がある。
【図面の簡単な説明】
【００２２】
【図１】実施例にかかるペット用保持具を正面側から視た一部切欠外観斜視図である。
【図２】実施例にかかる第１保持体を示し、（ａ）は平面図であり、（ｂ）は一部切欠正面図であり、（ｃ）は右側面図である。
【図３】実施例にかかる第２保持体を示し、（ａ）は平面図であり、（ｂ）は正面図である。
【図４】実施例にかかるペット用保持具の使用態様を示す説明図である。
【図５】実施例にかかる第１保持体と第２保持体との離間距離を調節する方法を示す説明図である。
【図６】従来のペット用保持具の斜視図である。
【発明を実施するための形態】
【００２３】
本発明の実施形態を、以下の実施例に従って説明する。なお、本発明は、下記に示す実施例に限定されることはなく、適宜設計変更が可能である。
【００２４】
ペット用保持具１は、図１に示すように、第１保持体１０と、第１保持体１０とは別体の第２保持体２０と、を備えている。そして、第１保持体１０と第２保持体２０とが対向状に配置されて使用される。なお、本実施例においては、第１保持体１０と第２保持体２０とが並ぶ方向を左右方向として説明する。
【００２５】
第１保持体１０は、図２に示すように、ペット用保持具１として正面側から視た形状が台形とされた立体形状をなし、ペットの身体の一部が当接する第１斜面部１２を有した第１本体部１１を備えている。なお、第１傾斜面部１２は、上方に向かうほどペットから退避するような傾斜方向とされている。
【００２６】
また、第１本体部１１の底部には、後述する連結体３０が左右方向に挿通される挿通孔部１３が貫通状に設けられている。
【００２７】
さらに、第１本体部１１の側周面において第２保持体２０に向く第１斜面部１２とは反対側の側面には、被接合部である第１面ファスナー１５が設けられている。
【００２８】
一方、第２保持体２０は、図３に示すように、第２本体部２１を備えている。第２本体部２１は、第１保持体１０の第１本体部１１と略同一形状をなした立体形状を有し、ペットの身体の一部が当接する側面には、上方に向かうほどペットから退避する第２斜面部２２が形成されている。
【００２９】
また、第２本体部２１における第２斜面部２２の下端部からは、帯状部材からなる連結体３０が第１保持体１０に向かって差し出されている。ここで、連結体３０の断面形状は、上述した第１保持体１０の挿通孔部１３の孔形状と略同一形状とされており、連結体３０が挿通孔部１３に挿通された状態で、連結体３０が挿通孔部１３に適嵌する寸法形状とされている。
【００３０】
また、連結体３０の先端部上面には、上記の第１面ファスナー１５に対して脱離自在に接合可能な接合部である第２面ファスナー３５が設けられている。
【００３１】
そして、図１等に示すように、連結体３０が挿通孔部１３に挿通された状態で、連結体３０が挿通孔部１３に適嵌している。また、挿通孔部１３における第２保持体２０側の孔縁は、第１本体部１１の底部における第２保持体２０側の端縁に位置している。
【００３２】
なお、第１本体部１１及び第２本体部２１は、発泡樹脂成形体等のクッション性を有する材料が内部に充填されており、撥水加工が表面に施された合成樹脂製の柔軟なカバーを有している。
【００３３】
同様に、連結体３０も第１本体部１１や第２本体部２１が有するカバーと同じシート材で構成されている。
【００３４】
次に、ペット用保持具１の使用態様について説明する。
【００３５】
ペット用保持具１は、図１に示したように、連結体３０が挿通孔部１３に挿通され、第１保持体１０が、連結体３０における第２面ファスナー３５よりも基端側の位置に乗載された状態において、第１面ファスナー１５と第２面ファスナー３５とが接合されることで第１保持体１０と第２保持体とが互いに向かい合って配置された使用状態となる。
【００３６】
すなわち、例えば図４に示すように、ペットＤの胴体部分が、第１斜面部１２及び第２斜面部２２に当接した状態で第１保持体１０と第２保持体２０とで挟持される。この際、挿通孔部１３における第２保持体２０側の孔縁が、挟持されるペット側の端縁に位置しているため、ペットＤの体重によって第１保持体１０が外側へ傾倒してしまうことがない。
【００３７】
ここで、第１保持体１０と第２保持体２０との離間距離を変更したい場合には、図５に示すように、第１面ファスナー１５と第２面ファスナー３５とを脱離して、連結体３０が挿通孔部１３に挿通された状態を維持したまま第１保持体１０を連結体３０上で左右方向に滑動させて第１本体部１１と第２本体部２１との離間距離を変更する。そして、適切な位置で再度第１面ファスナー１５と第２面ファスナー３５とを接合させればよい。このとき、ペットＤを移動させる必要がないため、ペットＤにかかる負担を大幅に低減することができる。
【００３８】
また、連結体３０が挿通孔部１３に挿通された状態で、連結体３０が挿通孔部１３に適嵌しているため、第１保持体１０と第２保持体２０とを互いに連結させておくことができると共に、第１保持体１０が第２保持体２０に対して前後方向や斜め方向等に位置ずれしてしまうことが防止されており、全体として幅調節の作業が行いやすい構造となっている。
【００３９】
ところで、挿通孔部１３の内周面と、連結体３０の表面とは互いに滑りやすい滑面で構成されており、連結体３０が挿通孔部１３に挿通された状態で第１保持体１０は、連結体３０上において連結体３０の差し出し方向に沿って円滑に移動自在とされている。
【００４０】
上記した実施例において、各部の寸法形状は適宜自由に選択可能である。
【００４１】
また、第１本体部１１と第２本体部２１の形状は同一である必要はなく、例えば第１斜面部１２及び第２斜面部２２の傾斜角度が互いに異なっていても構わない。
【００４２】
また、第１斜面部１２や第２斜面部２２は平滑面で構成される必要はなく、例えば凹状に湾曲した湾曲面で構成されていてもよい。
【００４３】
また、ペットＤと接する面は、第１斜面部１２や第２斜面部２２に代えて、床面から垂直に起立する垂直面部としてもよい。
【００４４】
また、連結体３０は単数であってもよいし、複数であってもよく、これに応じて挿通孔部１３も単数であってもよいし、複数であってもよい。
【００４５】
また、被接合部や接合部は面ファスナーで構成される必要はなく、例えばボタンとボタン孔等からなる係合部材や引掛部材によって構成されていてもよい。
【００４６】
また、第１本体部１１、第２本体部２１、及び連結体３０の表面は撥水加工されている必要はないが、洗浄の容易さ等から水拭きによって表面の汚れを容易に落とせるものが好ましい。
【００４７】
また、ペット用保持具１の使用に際して、第１保持体１０と第２保持体２０に挟持されるペットＤの身体部位は胴体に限らず、頭部や脚部等であっても構わない。また、ペットＤの１体に対して複数のペット用保持具１が使用されても構わない。また、ペット用保持具１の使用時におけるペットＤの姿勢は、うつ伏せ状態に限られず、横倒れ状態や仰向け状態でも構わない。
【符号の説明】
【００４８】
１          ペット用保持具
１０        第１保持体
１３        挿通孔部
１５        第１面ファスナー（被接合部）
２０        第２保持体
３０        連結体
３５        第２面ファスナー（接合部）
Ｄ          ペット
【図１】
2020089289.tif 000003
【図２】
2020089289.tif 000004
【図３】
2020089289.tif 000005
【図４】
2020089289.tif 000006
【図５】
2020089289.tif 000007
【図６】
2020089289.tif 000008